(57)【特許請求の範囲】
【請求項１】
フロア上に設置して、使用者用支持台が、平坦な状態のベッドポジションから、背部のボトムが上方向に、足部のボトムが下方向に向いたチェアポジションに変形可能なベッド装置において、
フロアに下部の設置部材を接しさせてフロアに平行に設置可能なフレームと、
当該フレームの上に設けた使用者用支持台における背部のボトム、座部のボトム及び足部のボトムがリンクで連結されたものであり、
座部のボトムとフレームが２対のアームを有する第１のリンク機構で連結され、
背部のボトムとフレームとの間に第２のリンク機構が設けられ、
フレームと第１のリンク機構との間に、該第１のリンク機構を駆動する第１のアクチュエータが設けられ、
第１のアクチュエータは、その駆動力によって第１のリンク機構が座部のボトムを足側のほぼ斜め上向き方向に移動させ、その座部のボトムの移動に伴って第２のリンク機構によって背部のボトムを上向きに回転させ、
足部のボトムの両側部に沿って両支持アームが延在し、該両支持アームの前端部に足部のボトムが回動自在に連結されかつフットボードが設けられると共に、該両支持アームの後端部が、前記座部のボトムの両側部から前方に延びる連結アームの前端に第１のヒンジで結合され、
前記足部のボトムの下面側にフレーム前端のローラが接して足部のボトムの移動を誘導する構成であり、
前記座部のボトム上方・下方の移動に伴って足部のボトムが下方・上方に回転する際に、両支持アームによって前記足部のボトムの長さが短・長に変化するように構成されたことを特徴とするベッド装置。
【請求項２】
前記第２のリンク機構は背部のボトムに連結するロッドを有しており、該ロッドの長さを変化させる第２のアクチュエータを設け、第２のアクチュエータの作動によって背部のボトムを足部のボトム方向に又はその反対方向に回転可能に構成されていることを特徴とする請求項１に記載のベッド装置。
【請求項３】
前記足部のボトムは、カバー部と板部とを備えて、カバー部が板部を覆った状態でカバー部及び板部が互いにラップしており、
前記両支持アームの前端部に板部前端部が回動自在に連結され、
前記カバー部の後端が座部のボトムの前端に第２のヒンジで結合されていて、
前記座部のボトム上方・下方の移動に伴って足部のボトムが下方・上方に回転する際に、両支持アームによって前記板部がカバー部内に入り込み・引き出されて、前記板部がカバー部とラップしている長さが短・長に変化することによって前記足部のボトムの長さが短・長に変化するように構成されたことを特徴とする請求項１または２に記載のベッド装置。
【請求項４】
第１のヒンジの上端は、ボトム面よりも上方に位置しており、第１のヒンジの上端がベッド装置の左右に設けた柵部材の上端よりも下方に位置していることを特徴とする請求項１に記載のベッド装置。
【請求項５】
フレームには、フレームの後部から伸縮可能な構成の伸縮フレームが設けられ、この伸縮フレームから背部のボトムに支持バーが伸びて該支持バーの先端が背部のボトムに連結されて背部のボトムを支え、伸縮フレームの頭側端部に、ヘッドボードが取り付けら、背部のボトムが起き上がると伸縮フレームが縮みヘッドボードも足側に移動するように構成されたことを特徴とする請求項１から４のうちの１項に記載のベッド装置。
【請求項６】
フロア上に設置して、使用者用支持台が、平坦な状態から、背部のボトムの頭側端が上方向に回転し、足部のボトムの足側端が下方向に回転可能なベッド装置において、
フロアに下部の設置部材を接しさせてフロアに平行に設置可能なフレームと、
当該フレームの上に設けた使用者用支持台における背部のボトム、座部のボトム及び足部のボトムがリンクで連結されたものであり、
前記足部のボトム両側部に延びる両支持アームには、該足部のボトムの前端の位置で使用者の足を載せるためのフットボードが支持固定され、かつ、足部のボトムとフットボードの間にボトム上に載せるマットレスが通過する空間が開き、その空間の先方にマットレスが当接するストッパー部が形成されていることを特徴とするベッド装置。
【請求項７】
前記フットボードは、両支持アームに対して位置調整可能に取り付けられていることを特徴とする請求項６に記載のベッド装置。
【発明の詳細な説明】
【技術分野】
【０００１】
本発明は、ベッドポジションとチェアポジションとの形態に変化可能なチェアポジションベッドやボトム各部が起伏するベッド等のベッド装置に関する。
【背景技術】
【０００２】
従来、ベッド装置には、ベッドポジションからチェアポジションに形態が変化可能なチェアポジションベッドがある。
【０００３】
ベッドの足部を水平から垂直下向きに変化させるベッドの起伏機構が特開昭５８−１８３１１５号公報（特許文献１）に開示されている。
【０００４】
その種のベッドにおいては、図６（ａ）、（ｂ）に示すように、各々屈曲自在に連結した背部ボトムａ、腰部ボトムｂ、並びに足部のボトムｃをベースフレーム（基枠）ｄに支持する構成のベッドの起伏機構を有している。ベースフレームｄの足部のボトムｃ側に左右一対の第１の支持腕ｅを設け、それよりも背部ボトムａ側に左右一対の第２の回動支持腕ｆを設けて、それぞれの支持腕ｅ、ｆを腰部ボトムｂに連結し、駆動手段のモータｇから伸縮杆ｈを伸長して腰部ボトムｂを斜め上に上昇させ、かつ、足部のボトムｃをベースフレームｄの下方に傾斜させると共に、背部ボトムａを背上げリンクｉによってベースフレームｄの上方に傾斜させて椅子状とし得るようにして、平面状態におけるボトムの高さを高くせずに足部のボトムの下端が病室等の床面に当接しないようにしたものである。
【０００５】
また、ベッドの起伏機構に関して、特開昭５８−１８３１１６号公報（特許文献２）及び実開昭５８−１７１０５５号公報（特許文献３）において、特許文献１と同様に、足部のボトムの下端が病室等の床面に当接しないように足部のボトムが下方に向かうにしたがって腰部ボトムを上昇させている。なお、特許文献３では、ベッドの起伏機構に関して、操作つまみの操作によって容易に足部のボトムが取り外せるようにしている。
【０００６】
しかしながら、これら従来のベッドでは、椅子状（チェアポジション）にするため、足部のボトムが垂直に下がり、フロアとの干渉を避けるためにベッドの高さ（床面からボトムまでの高さ）がある程度（例えば４００ｍｍ前後）が必要であった。
【０００７】
また、床からの高さの関係でボトム全長をなるべく短く作って、足部のボトムと床の干渉を避ける処置をしていた（背部、腰部、足部のボトムの寸法割合の制約がある）。それでも、椅子状のときの座面高さは６００ｍｍに抑えるのが構造的に限界であった。
【０００８】
また、環境が変わり、現在は、転倒・転落事故に対し安心・安全の要求が高く、ベッドを一層低床化しボトム全長を長くすることが望まれたが、従来は提案されていない。
また、チェアポジションベッドではない、ボトム各部が起伏するベッド装置において、各部ボトムが起伏する際に使用者の位置がボトムやマットレスに対して変化し、その際に、フットボードが使用者の足に適切に位置合わせできる構造等が望まれたが、未提案であった。
【先行技術文献】
【特許文献】
【０００９】
【特許文献１】特開昭５８−１８３１１５号公報
【特許文献２】特開昭５８−１８３１１６号公報
【特許文献３】実開昭５８−１７１０５５号公報
【発明の概要】
【発明が解決しようとする課題】
【００１０】
本発明は、斯かる実情に鑑み、低床ベッドであっても足部のボトムが床面に当接せずにチェアポジションに位置変更できるベッド装置を提供するものである。
また、本発明は、ボトムが起伏してもフットボードが使用者の足に適切に位置合わせできる構造のベッド装置を提供するものである。
【課題を解決するための手段】
【００１１】
本発明は、フロア上に設置して、使用者用支持台が、平坦な状態のベッドポジションから、背部のボトムが上方向に、足部のボトムが下方向に向いたチェアポジションに変形可能なベッド装置において、
フロアに下部の設置部材を接しさせてフロアに平行に設置可能なフレームと、
当該フレームの上に設けた使用者用支持台における背部のボトム、座部のボトム及び足部のボトムがリンクで連結されたものであり、
座部のボトムとフレームが２対のアームを有する第１のリンク機構で連結され、
背部のボトムとフレームとの間に第２のリンク機構が設けられ、
フレームと第１のリンク機構との間に、該第１のリンク機構を駆動する第１のアクチュエータが設けられ、
第１のアクチュエータは、その駆動力によって第１のリンク機構が座部のボトムを足側のほぼ斜め上向き方向に移動させ、その座部のボトムの移動に伴って第２のリンク機構によって背部のボトムを上向きに回転させ、
足部のボトムの両側部に沿って両支持アームが延在し、該両支持アームの前端部に足部のボトムが回動自在に連結されかつフットボードが設けられると共に、該両支持アームの後端部が、前記座部のボトムの両側部から前方に延びる連結アームの前端に第１のヒンジで結合され、
前記足部のボトムの下面側にフレーム前端のローラが接して足部のボトムの移動を誘導する構成であり、
前記座部のボトム上方・下方の移動に伴って足部のボトムが下方・上方に回転する際に、両支持アームによって前記足部のボトムの長さが短・長に変化するように構成されたことを特徴とするベッド装置である。
【００１２】
本発明において、前記第２のリンク機構は背部のボトムに連結するロッドを有しており、該ロッドの長さを変化させる第２のアクチュエータを設け、第２のアクチュエータの作動によって背部のボトムを足部のボトム方向に又はその反対方向に回転可能に構成されていることが好適である。
また、本発明において、前記足部のボトムは、カバー部と板部とを備えて、カバー部が板部を覆った状態でカバー部及び板部が互いにラップしており、
前記両支持アームの前端部に板部前端部が回動自在に連結され、
前記カバー部の後端が座部のボトムの前端に第２のヒンジで結合されていて、
前記座部のボトム上方・下方の移動に伴って足部のボトムが下方・上方に回転する際に、両支持アームによって前記板部がカバー部内に入り込み・引き出されて、前記板部がカバー部とラップしている長さが短・長に変化することによって前記足部のボトムの長さが短・長に変化するように構成されたことが好適である。
【００１３】
本発明において、第１のヒンジの上端は、ボトム面よりも上方に位置しており、第１のヒンジの上端がベッド装置の左右に設けた柵部材の上端よりも下方に位置していることが好適である。
また、本発明において、フレームには、フレームの後部から伸縮可能な構成の伸縮フレームが設けられ、この伸縮フレームから背部のボトムに支持バーが伸びて該支持バーの先端が背部のボトムに連結されて背部のボトムを支え、伸縮フレームの頭側端部に、ヘッドボードが取り付けら、背部のボトムが起き上がると伸縮フレームが縮みヘッドボードも足側に移動するように構成されたことが好適である。
【００１４】
本発明は、フロア上に設置して、使用者用支持台が、平坦な状態から、背部のボトムの頭側端が上方向に回転し、足部のボトムの足側端が下方向に回転可能なベッド装置において、
フロアに下部の設置部材を接しさせてフロアに平行に設置可能なフレームと、
当該フレームの上に設けた使用者用支持台における背部のボトム、座部のボトム及び足部のボトムがリンクで連結されたものであり、
前記足部のボトム両側部に延びる両支持アームには、該足部のボトムの前端の位置で使用者の足を載せるためのフットボードが支持固定され、かつ、足部のボトムとフットボードの間にボトム上に載せるマットレスが通過する空間が開き、その空間の先方にマットレスが当接するストッパー部が形成されていることを特徴とするベッド装置である。
【００１５】
本発明おいて、前記フットボードは、両支持アームに対して位置調整可能に取り付けられていることが好適である。
【発明の効果】
【００１６】
本発明のチェアポジションベッドによれば、第１のアクチュエータの駆動により、前記座部のボトム上方・下方の移動に伴って足部のボトムが下方・上方に回転する際に、両支持アームによって前記足部のボトムの長さが短・長に変化するので、低床ベッドであっても足部のボトムが床面に当接せずにチェアポジションに位置変更できる。また、その位置変更を第１のアクチュエータという一つの駆動源（例えば１モータ）で実現でき、コストを安く抑えることができる等の優れた効果を奏し得る。
【００１７】
なお、本発明において、前記第２のリンク機構に背部のボトムに連結するロッドを有したものとし、該ロッドの長さを変化させる第２のアクチュエータを設けて、第２のアクチュエータの作動によって背部ボトム前方を足部方向に又はその反対方向に回転可能に構成すれば、背部ボトムの角度を所望に設定できる。
【００１８】
本発明において、フレームには、フレームの後部から伸縮可能な構成の伸縮フレームが設けられ、この伸縮フレームから背部のボトムに支持バーが伸びて該支持バーの先端が背部のボトムに連結されて背部のボトムを支え、伸縮フレームの頭側端部に、ヘッドボードが取り付けられ、背部のボトムが起き上がると伸縮フレームが縮みかつヘッドボードも足側に移動するようにしたことにより、背部のボトムの背上げでベッド装置がコンパクト化する。コンパクト化によってスペースをとらなくなり、利便性が高い。
【００１９】
本発明において、第１のヒンジの上端は、ボトム面よりも上方に位置しており、第１のヒンジの上端がベッド装置の左右に設けた柵部材の上端よりも下方に位置しているものにして、第１のヒンジの上端でボトム面より突出する部分は柵部材の上端よりも下方に位置させて、ベッド装置の使用者の邪魔にならないようにしている。
【００２０】
本発明によれば、フットボードが支持固定され、足部のボトムとフットボードの間にボトム上に載せるマットレスが通過する空間が開き、その空間の先方にマットレスが当接するストッパー部が形成されているので、マットレスがフットボードに当たることがなく、通常のマットレスがフットボードに当たるものに比較して、フットボードの取り付け位置とマットレスの寸法に自由度が高くなる。
例えば、前記フットボードが、両支持アームに対して位置調整可能に取り付けられていれば、使用者の身長に応じて自由にフットボードの位置を設定できる。また、使用者の足裏に当接して尖足にならないような機能を発揮できるようにしている。
【図面の簡単な説明】
【００２１】
【図１】本発明の実施形態に係るチェアポジションベッドを斜めから見た説明図であって、（ａ）がフラットなベッドポジション、（ｂ）が変形途中の中間状態、（ｃ）がチェアポジションの各説明図である。
【図２】図１のチェアポジションベッドの側面図であって、（ａ）がフラットなベッドポジション、（ｂ）が変形途中の中間状態の各説明図である。
【図３】同チェアポジションベッドのチェアポジションの説明図である。
【図４】他の実施形態に係るチェアポジションベッドの足部の拡大説明図である。
【図５】同チェアポジションベッドの使用状態説明図である。
【図６】従来のチェアポジションベッドの説明図であって、（ａ）がベッドポジション、（ｂ）がチェアポジションの各説明図である。
【発明を実施するための形態】
【００２２】
以下、本発明の実施形態を添付図面によって参照して説明する。
図１〜図５は実施形態に係るチェアポジションベッドである。図１（ａ）〜（ｃ）は同ベッドの斜視説明図、図２（ａ）、（ｂ）〜図３は同ベッドのベッドポジション、中間状態、チェアポジション状態の各説明図である。また、図４は足部の拡大説明図、図５が使用状態説明図である。
【００２３】
実施形態に係るチェアポジションベッドは、患者（使用者の例）支持用に病院等で用いるベッド装置に係るもので、図１〜図３ではマットレスの図示は省略している。
図１に示すように、チェアポジションベッドは、フロア２上に設置して、患者支持台３が、平坦な状態のベッドポジションから、背部のボトム４が上方向に、足部のボトム６が下方向に向いたチェアポジションに変形可能なものである。
【００２４】
また、チェアポジションベッドは、図１（ｃ）に示すチェアポジションのとき、患者は、足を直接フロア２に着けることはできず、足部のボトム６に対して直角の角度で支持固定されているフットボード１１を踏んで、ベッドから出ることが可能なものであって、フロア２に下部のキャスターを接しさせ、該フロア２に平行にフレーム１を設置可能なものである。
【００２５】
また、フレーム１の上側に取り付けられた患者支持台３は、図視しないマットレスを載せて患者の背から頭を載せるための背部のボトム４、患者が腰を載せるための座部のボトム５及び患者が脚から足を載せための足部のボトム６がヒンジで連結され、フレーム１にリンクで連結された構造のものである。
【００２６】
前記座部のボトム５とフレーム１は、２対のアームからなる第１のリンク機構７で連結されている。第１のアクチュエータ７ａの駆動力によって第１のリンク機構７が座部のボトム５をほぼ斜め上向きに移動させる。その座部のボトム５の移動に伴って背部のボトム４が上向きに回転し、座部のボトム５が下向きに回転する。
【００２７】
背部のボトム４は、第２のリンク機構４ａを介しその第２のアクチュエータ４ｂの作動力で前方又は後方向きに回転して、角度を調整可能な構造になっている。背部のボトム４には、第２のリンク機構４ａに、第２のアクチュエータ４ｂのロッドの先端が連結され、この第２のアクチュエータ４ｂの基端部の軸がフレーム１に適宜のブラケットを介して取り付けられ、第２のアクチュエータ４ｂのロッドを伸長させなくても、第２のアクチュエータ４ｂのロッドが長さ固定ロッドの役割を果たすので、第２のリンク機構４ａを介して、第１のアクチュエータ７ａの駆動による第１のリンク機構７の軸回転に応じて背部のボトム４を上方向きに起こす機能を有する。
【００２８】
また、第２のアクチュエータ４ｂのロッドを短縮・伸長することで、第１のアクチュエータ７ａが駆動にかかわりなく背部のボトム４が座部のボトム５と独立に後ろ向き・前向きに回転するようになっている。
また、フレーム１には、フレーム１の後部から伸縮可能な構成の伸縮フレーム１ａが設けられている。この伸縮フレーム１ａから背部のボトム４の下面側に支持バー１ｂが伸びて、背部のボトム４の第２のリンク機構４ａに支持バー１ｂの先端が連結されて、背部のボトム４を支えている。
図示しないが、伸縮フレーム１ａの頭側端部に、ヘッドボードが取り付けられている。背部のボトム４が起き上がると伸縮フレーム１ａが縮みヘッドボードも足側に移動するため、ベッドの全体的な長さが短くなり、コンパクト化が図れる。
【００２９】
足部のボトム６は、カバー部８と板部９とを備えており、カバー部８は板部９を覆った状態で互いにラップしている。
【００３０】
足部のボトム６の両側部に延びる両支持アーム１０、１０は、該足部のボトム６の前端の位置で上向きにＬ字形状に曲がった部材（取り付け部材）１１ａによってフットボード１１（尖足板）が足部のボトム６に対して直角の角度で支持固定されている。これら両支持アーム１０、１０の後端は、前記座部のボトム５の両側部から前方に延びる連結アーム５ａ、５ａの前端に第１のヒンジ１２で結合されている。図１〜３の実施形態に係るチェアポジションベッドでは、フットボード１１がＬ字状に曲がった取り付け部材１１ａによってねじ結合（ボルトナット等による締着）して位置調整可能に取り付けられている。
【００３１】
前記第１のヒンジ１２の上端は、座部のボトム５や足部のボトム６の上面よりも上方に位置しており、第１のヒンジ１２の上端がベッド装置の左右に設けたサイドレール（柵部材）１９の上端よりも下方に位置しているものにして（図５の足側のサイドレール１９ａを示している）、第１のヒンジ１２の上端でボトム面より突出する部分はサイドレール１９ａの上端よりも下方に位置させて、ベッド装置の使用者の邪魔にならないようにしている。
前記カバー部８はその後端が座部のボトム５の前端の下部に第２のヒンジ１３で結合されている。
板部９はその前端が前記両支持アーム１０、１０の前端に回動自在に連結されている。
【００３２】
前記足部のボトム６の下面側にフレーム１前端のローラ１４が接して足部のボトム６の移動を誘導するようになっている。
【００３３】
他の実施形態に係るチェアポジションベッドを図４、図５によって説明する。図４に、足部ボトム周辺の斜視図を示、同（ａ）にはマットレス装着前を、同（ｂ）にはマットレス装着後を示している。図５に、チェアポジションベッドの使用状態を示している。
【００３４】
図４に示すように、前記足部のボトム６両側部に延びる両支持アーム１０、１０には、該足部のボトム６の前端の位置で使用者の足が載せるためのフットボード１１が支持固定される。このフットボード１１は支持アーム１０、１０に対して取り付け位置が調整可能な係合部１５によって取り付けられる。係合部１５によって、フットボード１１が自在に位置調整可能になっている。
【００３５】
また、足部のボトム６とフットボード１１の間に足部のボトム６上に載せるマットレスが通過する空間１６が開き、その空間の先方にマットレスが当接するストッパー部１７が形成されている。
【００３６】
詳しくは、図４（ａ）に示すように、係合部１５は、両支持アーム１０、１０にスライド可能かつ位置調整可能に取り付けられ、該係合部１５にフットボード１１の取り付け部材１１ａが固定される。係合部１５はそのレバー１５ａを上方に引けば両支持アーム１０、１０に対してスライドしてフットボード１１が上下し、逆に、レバーを戻せば固定してフットボード１１の位置決めができる。
また、マットレス１８の装着は、図４（ｂ）に示すように、前記空間１６にマットレスを挿入してストッパー部１７に先端を当接させている。足部のボトム６が上方から下方に向けて回転する際に、マットレス１８が移動するが、前記空間１６によってある程度自由に移動でき、足部のボトム６上で撓みが生じにくい。
【００３７】
図５に示すように、チェアポジションに変化する際に、使用者は背部のボトム４に設けたサイドレール（柵部材）１９を握って、体位置の移動やズレを防止できるようにしている。
【００３８】
実施形態のチェアポジションベッドにおいては、カバー部８が下方・上方に回転する際に、両支持アーム１０、１０によって引き上げられ・押出された板部９がカバー部８に対して入り込む・進出するので、前記板部９がカバー部８とラップしている長さが短・長に変化するものである。
【００３９】
また、ベッドを平坦なベッドポジションから足を下方に向けられるチェアポジションに変形するときに、第１のアクチュエータ７ａの作動力によって、前記患者支持台３が、第１のリンク機構７によってフレーム１に対してほぼ斜め上向きに移動すること、前記カバー部８が下向きに回転すること、前記カバー部８及び前記板部９のラップ長さが短くなるものである。
【００４０】
上記のように、本実施形態のチェアポジションベッドによれば、第１のアクチュエータ７の駆動により、前記座部のボトム５の上方・下方の移動に伴ってカバー部８の足元側が下方・上方に回転する際に、両支持アーム１０、１０によって前記板部９がカバー部８内に入り込み・引き出されて、前記板部９がカバー部８とラップしている長さが短・長に変化するので、低床ベッドであっても足部のボトム６が床面に当接せずにチェアポジションに位置変更でき、また、その位置変更を第１のアクチュエータという一つの駆動源（例えば１モータ）で実現でき、コストを安く抑えることができるという優れた効果を奏し得る。
【００４１】
なお、第２のアクチュエータ４ｂの作動によって背部のボトム４を足部のボトム６方向に又はその反対方向に回転可能に構成するので、背部のボトム４の角度を所望に設定できる。
【００４２】
また、フットボード１１が支持固定され、足部のボトム６とフットボード１１の間に該ボトム６上に載せるマットレスが通過する空間１６が開き、その空間１６の先方にマットレスが当接するストッパー部１７が形成されているので、マットレスがフットボード１１に当たることがなく、通常のマットレスがフットボード１１に当たるものに比較して、フットボード１１の取り付け位置とマットレスの寸法に自由度が高くなる。
【００４３】
例えば、前記フットボード１１が、両支持アーム１０、１０に対して位置調整可能に取り付けられているので、使用者の身長に応じて自由にフットボード１１の位置を自在に設定できる。
【００４４】
前記実施形態では、チェアポジションベッドを一例に挙げて本発明を説明したが、本発明は、その他、足部のボトムが起伏する通常のベッド装置にももちろん適用可能である。
【産業上の利用可能性】
【００４５】
本発明のベッドは、病院内用のみならず、自宅介護用等に利用することができる。
【符号の説明】
【００４６】
１  フレーム
１ａ  伸縮フレーム
１ｂ  支持バー
２  フロア
３  患者支持台
４  背部のボトム
４ａ  第２のリンク機構
４ｂ  第２のアクチュエータ
５  座部のボトム
５ａ  連結アーム
６  足部のボトム
７  第１のリンク機構
７ａ  第１のアクチュエータ
８  カバー部
９  板部
１０  支持アーム
１１  フットボード
１１ａ  取り付け部材
１２  第１のヒンジ
１３  第２のヒンジ
１４  ローラ
１５  係合部
１５ａ  レバー
１６  空間
１７  ストッパー部
【図１】
0005658120.tif 000002
【図２】
0005658120.tif 000003
【図３】
0005658120.tif 000004
【図４】
0005658120.tif 000005
【図５】
0005658120.tif 000006
【図６】
0005658120.tif 000007